(57)【特許請求の範囲】
【請求項１】
移動体に搭載され無線でケーブルテレビジョンサービス回線に接続可能な移動通信端末と、サービスエリア内に設置された中継装置と、前記中継装置にコンテンツの配信を行なうセンター装置とよりなるケーブルテレビジョンシステムであって、
前記移動通信端末は、無線通信により前記中継装置に対してユーザ識別情報のログイン要求を行ない、
前記中継装置は、複数のサービスエリア内にそれぞれ設置され、前記移動通信端末が前記サービスエリア内となったときに前記移動通信端末にケーブルテレビジョンサービスに関する共通コンテンツの配信を行ない、前記センター装置に対して前記ユーザ識別情報と前記中継装置を特定する特定情報を送信し、認証情報に基づいて前記移動端末装置にケーブルテレビジョンサービスを開始し、前記移動端末装置から共通コンテンツのリクエスト情報を受け取ると、前記センター装置に共通コンテンツの配信を求めるものであり、
前記センター装置は、前記各中継装置に通信回線を介して接続され、マルチキャスト通信により前記中継装置に共通コンテンツの配信を行ない、前記ユーザ識別情報が有効な場合に前記特定情報の送信元の前記中継装置に認証情報を送信し、前記中継装置からの配信要求に対して共通コンテンツを前記中継装置を介して前記移動通信端末に配信するとともに、前記配信履歴を管理するものであることを特徴とするケーブルテレビジョンシステム。
【請求項２】
前記ユーザ識別情報は、ＩＣカードまたは磁気カードに書き込まれた個人情報であることを特徴とする請求項１記載のケーブルテレビジョンシステム。
【請求項３】
前記センター装置は、共通コンテンツの配信履歴に基づいて課金処理を行なうことを特徴とする請求項１または２記載のケーブルテレビジョンシステム。
【請求項４】
複数のサービスエリア内にそれぞれ設置されるとともに、センター装置に通信回線を介して接続され、前記センター装置から供給されるケーブルテレビジョンサービスに関する共通コンテンツを移動体に搭載された移動通信端末に配信する中継装置であって、
前記移動通信端末から無線通信によりユーザ識別情報のログイン要求が行なわれると、前記ログイン要求を受信する第１の受信手段と、
前記ログイン要求を受信すると、前記ユーザ識別情報およびログイン要求が行なわれた中継装置を特定する特定情報を前記センター装置に送信する送信手段と、
前記ユーザ識別情報が有効な場合に前記センター装置から送信される認証情報を受信する第２の受信手段と、
前記認証情報に基づいて前記移動端末装置にケーブルテレビジョンサービスを開始するサービス提供手段と、
前記移動端末装置から共通コンテンツのリクエスト情報を受け取ると、前記センター装置に共通コンテンツの配信を要求する共通コンテンツ要求手段と、
前記センター装置から供給される共通コンテンツを前記移動通信端末に配信する配信手段とを備えたことを特徴とする中継装置。
【請求項５】
前記ユーザ識別情報は、ＩＣカードまたは磁気カードに書き込まれた個人情報であることを特徴とする請求項４記載の中継装置。
【請求項６】
複数のサービスエリア内にそれぞれ設置された複数の中継装置に対し、前記中継装置から移動通信端末に配信されるケーブルテレビジョンサービスに関する共通コンテンツの供給するセンター装置であって、
前記中継装置から送信され、前記ユーザ識別情報および前記中継装置を特定する特定情報を受信する第１の受信手段と、
ユーザの個人情報を記憶する固有情報記憶手段と、
前記ユーザ識別情報と前記固有情報記憶手段に記憶されたユーザの個人情報と比較し、前記ユーザ識別情報が有効な場合に前記特定情報の送信元の前記中継装置に認証情報を送信する送信手段と、
前記中継装置から共通コンテンツの配信要求を受信する第２の受信手段と、
前記中継装置からの配信要求を受信すると、共通コンテンツを前記中継装置を介して前記移動通信端末に配信する配信手段とを備えたことを特徴とするセンター装置。
【請求項７】
前記共通コンテンツの配信履歴を記憶する記憶手段と、前記記憶手段に記憶された配信履歴に基づいて課金処理を行なう課金手段とを有することを特徴とする請求項６記載のセンター装置。
【請求項８】
前記ユーザ識別情報は、ＩＣカードまたは磁気カードに書き込まれた個人情報であることを特徴とする請求項６または７記載のセンター装置。
【請求項９】
移動体に搭載され無線によりケーブルテレビジョンサービス回線に接続可能な移動通信端末と、複数のサービスエリア内にそれぞれ設置され、前記移動通信端末が前記サービスエリア内に位置したときに前記移動通信端末にケーブルテレビジョンサービスに関するコンテンツの配信を行なう複数の中継装置と、前記各中継装置に通信回線を介して接続され、前記中継装置を管理するセンター装置とを準備し、前記センター装置から前記中継装置を介して前記移動通信端末にケーブルテレビジョンサービスを提供するケーブルテレビジョンサービスの提供方法であって、
無線通信により、前記移動通信端末から前記サービスエリア内に設置された前記中継装置に対してユーザ識別情報のログイン要求を行う工程と、
前記中継装置から前記センター装置に対して前記ユーザ識別情報と前記中継装置を特定する特定情報を前記センター装置に送信する工程と、
前記ユーザ識別情報が有効な場合に、前記センター装置から前記特定情報の送信元の前記中継装置に認証情報を送信する工程と、
前記認証情報に基づいて前記中継装置から前記移動端末装置にケーブルテレビジョンサービスを開始する工程と、
前記中継装置が前記移動端末装置から共通コンテンツのリクエスト情報を受け取ると、前記中継装置から前記センター装置に共通コンテンツの配信を要求する工程と、
前記中継装置からの配信要求があると、前記センター装置から前記共通コンテンツを前記中継装置を介して前記移動通信端末に配信する工程と、
前記配信履歴を管理する工程とを含んでなることを特徴とするケーブルテレビジョンサービスの提供方法。
【請求項１０】
前記ユーザ識別情報として、ＩＣカードまたは磁気カードに書き込まれた個人情報を用いることを特徴とする請求項９記載のケーブルテレビジョンサービスの提供方法。
【請求項１１】
前記配信履歴を管理する工程では、前記共通コンテンツの配信履歴に基づいて課金処理を行なうことを特徴とする請求項９または10記載のケーブルテレビジョンサービスの提供方法。
【発明の詳細な説明】
【０００１】
【発明の属する技術分野】
本発明は、特定のサービスエリアから他のサービスエリアに移動通信端末が移動した場合でも、センター装置からサービスエリアに設置された中継装置から共通コンテンツの配信を受けることができるケーブルテレビジョンシステム、中継装置、センター装置およびケーブルテレビジョンサービスの提供方法に関する。
【０００２】
【従来の技術】
従来からケーブルテレビジョンサービス（以下、単にＣＡＴＶという）が普及しつつある。このＣＡＴＶシステムは、難視聴地域や特定地域に対するテレビジョン放送の提供、インターネット等のコンピュータ通信網への接続サービス等が提供される。
【０００３】
このＣＡＴＶのテレビジョン放送の提供内容としては、天気予報、交通情報、イベントの開催、音楽、映画等のコンテンツがあり、ＣＡＴＶ局のサービスエリア内に居住するユーザはＣＡＴＶ局と直接契約して室内に専用回線を引き、この専用回線からコンテンツの提供を受け、コンテンツの内容に応じて課金された料金をＣＡＴＶ局に払い込むようにしている。
【０００４】
【発明が解決しようとする課題】
しかしながら、このような従来のＣＡＴＶサービスにあっては、専用回線を介してＣＡＴＶからコンテンツの提供を受けていたため、例えば、車外において車両に搭載したＣＡＴＶモバイル端末等の移動通信端末からコンテンツの提供を受けることができなかった。
【０００５】
また、ＣＡＴＶシステムは、サービスエリア毎に受信者と契約が行なわれるため、他のサービスエリアに移動した場合には、ＣＡＴＶサービスを一切受けることができなかった。
【０００６】
したがって、車両に移動通信端末を搭載して自局のサービスエリア内は勿論のこと他のサービスエリアに移動した場合にでもコンテンツの提供を受けることが望まれている。
【０００７】
本発明は、上記従来の問題を解決するもので、センター装置から複数の中継装置を介して共通コンテンツを配信することができるようにして、移動端末装置がどの中継装置のサービスエリアに位置していてもケーブルテレビジョンサービスの提供を受けることができるケーブルテレビジョンシステム、中継装置、センター装置およびケーブルテレビジョンサービスの提供方法を提供するものである。
【０００８】
【課題を解決するための手段】
本発明のケーブルテレビジョンシステムは、移動体に搭載され無線でケーブルテレビジョンサービス回線に接続可能な移動通信端末と、サービスエリア内に設置された中継装置と、前記中継装置にコンテンツの配信を行なうセンター装置とよりなるケーブルテレビジョンシステムであって、前記移動通信端末は、無線通信により前記中継装置に対してユーザ識別情報のログイン要求を行ない、前記中継装置は、複数のサービスエリア内にそれぞれ設置され、前記移動通信端末が前記サービスエリア内となったときに前記移動通信端末にケーブルテレビジョンサービスに関する共通コンテンツの配信を行ない、前記センター装置に対して前記ユーザ識別情報と前記中継装置を特定する特定情報を送信し、認証情報に基づいて前記移動端末装置にケーブルテレビジョンサービスを開始し、前記移動端末装置から共通コンテンツのリクエスト情報を受け取ると、前記センター装置に共通コンテンツの配信を求めるものであり、前記センター装置は、前記各中継装置に通信回線を介して接続され、マルチキャスト通信により前記中継装置に共通コンテンツの配信を行ない、前記ユーザ識別情報が有効な場合に前記特定情報の送信元の前記中継装置に認証情報を送信し、前記中継装置からの配信要求に対して共通コンテンツを前記中継装置を介して前記移動通信端末に配信するとともに、前記配信履歴を管理するものから構成される。
【０００９】
このような構成により、移動通信端末を搭載した移動体がサービスエリア内に移動すると、移動通信端末から中継装置にログイン要求を行ない、中継装置からセンター装置に対して認証が行なわれ、認証が有効な場合にセンター装置から共通コンテンツ（音楽、映画、ニュース、天気予報、バラエティー番組等）が送信される。このため、移動通信端末がどのサービスエリアに移動した場合でも、センター装置から共通コンテンツを受信することができる。
【００１０】
また、複数の中継装置が通信回線を介してセンター装置に接続されるため、どの中継装置からでも共通コンテンツを移動通信端末に配信することができ、中継装置間を専用回線等で接続するのを不要にしてセンター装置を介して簡単に連携することができる。
【００１１】
また、センター装置がユーザ識別情報を認証して自己が保持する共通コンテンツを中継装置を介して移動通信端末に配信することができるため、センター装置によってユーザおよびコンテンツの一括管理を行なうことができる。
【００１２】
また、コンテンツ配信をマルチキャスト通信によって行うことができるため、通信回線の有効活用を図ることができ、通信回線の空き時間はインターネット等のＩＰサービスを利用することもできる。
【００１３】
また、本発明のケーブルテレビジョンシステムは、前記ユーザ識別情報は、ＩＣカードまたは磁気カードに書き込まれた個人情報から構成される。
【００１４】
このような構成により、センター装置が個人情報（ＩＤ等）によって契約されているユーザを認証することができるため、共通コンテンツの提供に際しての不正使用を防止することができるとともに、ユーザが機種等の異なる移動通信端末を使用した場合にもユーザを簡単に特定することができる。
【００１５】
また、本発明のケーブルテレビジョンシステムは、前記センター装置は、共通コンテンツの配信履歴に基づいて課金処理を行なうように構成される。
【００１６】
このような構成により、センター装置で集中して課金処理を行なうことができるため、中継装置毎で課金を行なう必要がなく、課金処理の効率化を図ることができる。
【００１７】
また、本発明の中継装置は、複数のサービスエリア内にそれぞれ設置されるとともに、センター装置に通信回線を介して接続され、前記センター装置から供給されるケーブルテレビジョンサービスに関する共通コンテンツを移動体に搭載された移動通信端末に配信する中継装置であって、前記移動通信端末から無線通信によりユーザ識別情報のログイン要求が行なわれると、前記ログイン要求を受信する第１の受信手段と、前記ログイン要求を受信すると、前記ユーザ識別情報およびログイン要求が行なわれた中継装置を特定する特定情報を前記センター装置に送信する送信手段と、前記ユーザ識別情報が有効な場合に前記センター装置から送信される認証情報を受信する第２の受信手段と、前記認証情報に基づいて前記移動端末装置にケーブルテレビジョンサービスを開始するサービス提供手段と、前記移動端末装置から共通コンテンツのリクエスト情報を受け取ると、前記センター装置に共通コンテンツの配信を要求する共通コンテンツ要求手段と、前記センター装置から供給される共通コンテンツを前記移動通信端末に配信する配信手段とを備えて構成される。
【００１８】
このような構成により、移動通信端末を搭載した移動体がサービスエリア内に移動すると、移動通信端末から中継装置にログイン要求を行ない、中継装置からセンター装置に対して認証が行なわれ、認証が有効な場合にセンター装置から共通コンテンツ（音楽、映画、ニュース、天気予報、バラエティー番組等）が送信される。このため、移動通信端末がどのサービスエリアに移動した場合でも、センター装置から共通コンテンツを受信することができる。
【００１９】
また、複数の中継装置が通信回線を介してセンター装置に接続されるため、どの中継装置からでも共通コンテンツを移動通信端末に配信することができ、中継装置間を専用回線等で接続するのを不要にしてセンター装置を介して簡単に連携することができる。
【００２０】
また、本発明の中継装置は、前記ユーザ識別情報は、ＩＣカードまたは磁気カードに書き込まれた個人情報から構成される。
【００２１】
このような構成により、センター装置に個人情報（ＩＤ等）によって契約されているユーザかどうかを認証させることができ、移動通信端末に対して共通コンテンツを配信する際の不正使用を防止することができるとともに、ユーザが機種等の異なる移動通信端末を使用した場合にも特定のユーザの識別情報をセンター装置に送信することができる。
【００２２】
また、本発明のセンター装置は、複数のサービスエリア内にそれぞれ設置された複数の中継装置に対し、前記中継装置から移動通信端末に配信されるケーブルテレビジョンサービスに関する共通コンテンツの供給するセンター装置であって、前記中継装置から送信され、前記ユーザ識別情報および前記中継装置を特定する特定情報を受信する第１の受信手段と、ユーザの個人情報を記憶する固有情報記憶手段と、前記ユーザ識別情報と前記固有情報記憶手段に記憶されたユーザの個人情報と比較し、前記ユーザ識別情報が有効な場合に前記特定情報の送信元の前記中継装置に認証情報を送信する送信手段と、前記中継装置から共通コンテンツの配信要求を受信する第２の受信手段と、前記中継装置からの配信要求を受信すると、共通コンテンツを前記中継装置を介して前記移動通信端末に配信する配信手段とを備えて構成される。
【００２３】
このような構成により、移動通信端末を搭載した移動体がサービスエリア内に移動すると、移動通信端末から中継装置にログイン要求を行ない、中継装置からセンター装置に対して認証が行なわれ、認証が有効な場合にセンター装置から共通コンテンツ（音楽、映画、ニュース、天気予報、バラエティー番組等）が送信される。このため、移動通信端末がどのサービスエリアに移動した場合でも、センター装置から共通コンテンツを受信することができる。
【００２４】
また、センター装置に通信回線を介して複数の中継装置が接続されるため、どの中継装置からでも共通コンテンツを移動通信端末に配信することができ、中継装置間を専用回線等で接続するのを不要にしてセンター装置を介して簡単に連携することができる。
【００２５】
また、センター装置がユーザ識別情報を認証して自己が保持する共通コンテンツを中継装置を介して移動通信端末に配信することができるため、センター装置によってユーザおよびコンテンツの一括管理を行なうことができる。
【００２６】
また、コンテンツ配信をマルチキャスト通信によって行うことができるため、通信回線の有効活用を図ることができる。
【００２７】
通信回線の空き時間はインターネット等のＩＰサービスを利用することもできる。
【００２８】
また、本発明のセンター装置は、前記共通コンテンツの配信履歴を記憶する記憶手段と、前記記憶手段に記憶された配信履歴に基づいて課金処理を行なう課金手段とを有して構成される。
【００２９】
このような構成より、センター装置で集中して課金処理を行なうことができるため、中継装置毎で課金を行なう必要がなく、課金処理の効率化を図ることができる。
【００３０】
また、本発明のセンター装置は、前記ユーザ識別情報は、ＩＣカードまたは磁気カードに書き込まれた個人情報から構成される。
【００３１】
このような構成により、センター装置が個人情報（ＩＤ等）によって契約されているユーザを認証することができるため、共通コンテンツの提供に際しての不正使用を防止することができるとともに、ユーザが機種等の異なる移動通信端末を使用した場合にもユーザを簡単に特定することができる。
【００３２】
また、本発明のケーブルテレビジョンサービスの提供方法は、移動体に搭載され無線によりケーブルテレビジョンサービス回線に接続可能な移動通信端末と、複数のサービスエリア内にそれぞれ設置され、前記移動通信端末が前記サービスエリア内に位置したときに前記移動通信端末にケーブルテレビジョンサービスに関するコンテンツの配信を行なう複数の中継装置と、前記各中継装置に通信回線を介して接続され、前記中継装置を管理するセンター装置とを準備し、前記センター装置から前記中継装置を介して前記移動通信端末にケーブルテレビジョンサービスを提供するケーブルテレビジョンサービスの提供方法であって、無線通信により、前記移動通信端末から前記サービスエリア内に設置された前記中継装置に対してユーザ識別情報のログイン要求を行う工程と、前記中継装置から前記センター装置に対して前記ユーザ識別情報と前記中継装置を特定する特定情報を前記センター装置に送信する工程と、前記ユーザ識別情報が有効な場合に、前記センター装置から前記特定情報の送信元の前記中継装置に認証情報を送信する工程と、前記認証情報に基づいて前記中継装置から前記移動端末装置にケーブルテレビジョンサービスを開始する工程と、前記中継装置が前記移動端末装置から共通コンテンツのリクエスト情報を受け取ると、前記中継装置から前記センター装置に共通コンテンツの配信を要求する工程と、前記中継装置からの配信要求があると、前記センター装置から前記共通コンテンツを前記中継装置を介して前記移動通信端末に配信する工程と、前記配信履歴を管理する工程とを含んでなる。
【００３３】
このような方法により、移動通信端末を搭載した移動体がサービスエリア内に移動すると、移動通信端末から中継装置にログイン要求を行ない、中継装置からセンター装置に対して認証が行なわれ、認証が有効な場合にセンター装置から共通コンテンツ（音楽、映画、ニュース、天気予報、バラエティー番組等）が送信される。このため、移動通信端末がどのサービスエリアに移動した場合でも、センター装置から共通コンテンツを受信することができる。
【００３４】
また、複数の中継装置が通信回線を介してセンター装置に接続されるため、どの中継装置からでも共通コンテンツを移動通信端末に配信することができ、中継装置間を専用回線等で接続するのを不要にしてセンター装置を介して簡単に連携することができる。
【００３５】
また、センター装置がユーザ識別情報を認証して自己が保持する共通コンテンツを中継装置を介して移動通信端末に配信することができるため、センター装置によってユーザおよびコンテンツの一括管理を行なうことができる。
【００３６】
また、コンテンツ配信をマルチキャスト通信によって配信することができるため、通信回線の有効活用を図ることができ、通信回線の空き時間はインターネット等のＩＰサービスを利用することもできる。
【００３７】
また、本発明のケーブルテレビジョンサービスの提供方法は、前記ユーザ識別情報として、ＩＣカードまたは磁気カードに書き込まれた個人情報を用いる。
【００３８】
このような方法により、センター装置が個人情報（ＩＤ等）によって契約されているユーザを認証することができるため、共通コンテンツの提供に際しての不正使用を防止することができるとともに、ユーザが機種等の異なる移動通信端末を使用した場合にもユーザを簡単に特定することができる。
【００３９】
また、本発明のケーブルテレビジョンサービスの提供方法は、前記配信履歴を管理する工程では、前記共通コンテンツの配信履歴に基づいて課金処理を行なう。  このような方法により、センター装置で集中して課金処理を行なうことができるため、中継装置毎で課金を行なう必要がなく、課金処理の効率化を図ることができる。
【００４０】
また、各ＣＡＴＶ局が持つオリジナルコンテンツを、同様に各局毎にマルチキャスト配信することで、相互利用が可能となると共に、加入者が移動した先でも自局コンテンツを見ることができるようになる。
【００４１】
【発明の実施の形態】
以下、本発明の実施の形態に基づいて説明する。
図１〜図５は本発明に係るケーブルテレビジョンシステム、中継装置、センター装置およびケーブルテレビジョンサービスの提供方法の一実施の形態を示す図である。
【００４２】
まず、構成を説明する。図１、図２において、ケーブルテレビジョンシステム１は加入局（センター装置）２、加入局２によって管理され、ケーブルテレビジョンサービスに関連するコンテンツを提供するＣＡＴＶ局３、４、および車両（移動体）５に搭載され、ＣＡＴＶ−Ａ（ＣＡＴＶ局３）、ＣＡＴＶ−Ｂ（ＣＡＴＶ局４）、ＣＡＴＶ−Ｃ、ＣＡＴＶ−Ｄ、からコンテンツの配信を受けるＣＡＴＶモバイル端末（移動通信端末）６を備え、加入局２は専用線または、広域ＬＡＮなど広い地域に点在する接続ポイント間をマルチキャスト通信が可能な高速ＩＰ通信が行える回線７を介してＣＡＴＶ局３、４に接続されている。
【００４３】
なお、図１ではＣＡＴＶ局を４局を示しているが、ＣＡＴＶ局は５局以上設置されていても良い。但し、図２ではＣＡＴＶ局の説明の便宜上、ＣＡＴＶ局３、４の２局のみを示している。
【００４４】
また、図２において、ＣＡＴＶ局３、４はケーブルテレビジョンサービス回線としての多数の無線送受信機３ａ、４ａを備えており、この無線送受信機３ａ、４ａをサービスエリア内に設置することにより、各ＣＡＴＶ局３、４のサービスエリアにコンテンツ（音楽、映画、ニュース、天気予報、バラエティー番組等）を配信可能になっている。
【００４５】
図３において、ＣＡＴＶモバイル端末６は、移動局用送受信端装置10、Ｄ−ＳＴＢ（Digital Settop Box）11、ＩＣカードリーダ12、ケーブルモデム13、ＣＰＵ部（パソコン）14、ディスプレイ15、およびメモリ16から構成されている。
【００４６】
移動局用送受信端装置10はＣＡＴＶ局３、４のサービスエリアに入ったときに無線通人部３ａ、４ａとの間で無線通信を行なうようになっており、Ｄ−ＳＴＢ11は無線送受信装置３ａ、４ａの間で双方向通信を行なうようになっている。
【００４７】
ＩＣカードリーダ12はユーザ識別情報であるＩＤや個人情報（銀行口座、住所等）を読み取るようになっており、このユーザ識別情報はＤ−ＳＴＢ11から移動局用送受信端装置10を介して無線送受信機３ａまたは４ａに送信される。
【００４８】
ケーブルモデム13は移動局用送受信端装置10を介して受信したコンテンツを復調するようになっており、このコンテンツはディスプレイ15によって再生されるようになっている。
【００４９】
また、ＣＰＵ部14はＣＡＴＶモバイル端末６全体を制御するものであり、ＩＣカードリーダ12によってＩＣカードの読み取りを指令してユーザ識別情報の送出を行なうようになっている。具体的には、ＣＰＵ部14は車両５がＣＡＴＶ局３または４のサービスエリア内に移動したときに、移動局用送受信端装置10からログイン要求を行なうようになっている。
【００５０】
また、メモリ16はＣＰＵ部14からの指令により、ＣＡＴＶ局３または４から受信されたコンテンツの履歴情報を記憶するようになっている。
【００５１】
一方、ＣＡＴＶ局３、４はＲＦ（Radio Frequency）多重21、31、ＣＡＴＶ映像送出装置45、46、Ｗｅｂサーバ25、35、動画サーバ26、36、操作端末27、37、加入者認証サーバ28、38、ケーブルモデムセンター29、39およびルータ30、40から構成される。
ＲＦ21、23は無線送受信機３ａ、４ａを介してＣＡＴＶモバイル端末６と無線通信を確立するものである。
【００５２】
ＣＡＴＶ映像送出装置45、46は、ＣＡＴＶ局３内の画像を受けるＣＳチューナ24、34、この画像を圧縮するエムペグエンコーダ（ＭＰＥＧエンコーダ）23、33ＣＡＴＶ配信の形式に変調する６４カムモジュレータ（６４QAM MOD）22、32を備えており、ＭＰＥＧフォーマットなどのデジタル映像コンテンツをＣＡＴＶ回線上で配信する。配信された信号は、ＣＡＴＶモバイル端末のＤ−ＳＴＢにて映像に変換される。
【００５３】
ここでＣＳチューナ24、34はビデオテープ・光ディスクなどの画像でも良い。
【００５４】
Ｗｅｂサーバ25、35はインターネットに接続可能であり、インターネットを介して種々のコンテンツの配信、取得を行なう。動画サーバ26、36は加入局２から送信される映画、音楽、天気予報、ニュース等の動画データのコンテンツが入力されるようになっており、このコンテンツをＣＡＴＶモバイル端末６に配信するようになっている。操作端末27、37はＣＡＴＶ局３、４の種々の装置を操作するものである。
【００５５】
加入者認証サーバ28、38には、自局のユーザの個人情報（ＩＤや課金情報等）が記憶されており、ＣＡＴＶモバイル端末６がＣＡＴＶ局３、４のサービスエリア内に位置し、ＣＡＴＶモバイル端末６がログイン要求を行なったときに、加入局２に対してユーザ識別情報の認証を行なわせるようになっている。
【００５６】
ルータ30、40は広域ＬＡＮ７に接続されており、広域ＬＡＮ７との間でプロトコルを実行して他局または加入局２との間で通信を行なうものである。
【００５７】
本実施の形態では、ＣＡＴＶモバイル端末６から無線通信によりログイン要求が行なわれると、加入者認証サーバ28、38がルータ30、40を通してログイン要求を受信するようになっており、加入者認証サーバ28、38はルータ30、40と共に第１の受信手段を構成している。
【００５８】
また、本実施の形態では、加入者認証サーバ28、38が、無線送受信装置３ａまたは４ａを通してＣＡＴＶモバイル端末６からログイン要求を受信すると、ユーザのＩＤおよびログイン要求が行なわれた自局を特定する特定情報（ＩＰアドレス）をルータ30、40から加入局２に送信するようになっており、ルータ30、40と共に送信手段を構成している。
【００５９】
また、加入者認証サーバ28、38は後述するように加入局２でユーザ識別情報が有効なものと判断された場合には、ルータ30、40を通して加入局２から送信される認証情報を受信するようになっており、ルータ30、40と共に第２の受信手段を構成している。
【００６０】
また、動画サーバ26、36は加入者認証サーバ28、38に入力された認証情報に基づいてＣＡＴＶモバイル端末６にケーブルテレビジョンサービスを開始するようになっており、サービス提供手段を構成している。具体的には、ＣＡＴＶモバイル端末６に提供されるサービスとしては、加入局２からＣＡＴＶモバイル端末６に配信されるコンテンツリストおよびコンテンツを配信するために加入局２に接続に必要なＩＰアドレス、ポート番号等であり、コンテンツリストには音楽やニュース等の加入局２から提供されるコンテンツが含まれる。
【００６１】
また、ＣＡＴＶモバイル端末６はコンテンツリストを受信すると、ディスプレイ15にコンテンツリストを表示し、ＣＰＵ部14によって希望するコンテンツを選択し、選択結果をＣＡＴＶ局３または４に送信するようになっている。
【００６２】
また、加入者認証サーバ28、38はＣＡＴＶモバイル端末６によって選択されたからコンテンツ要求情報を受け取ると、このコンテンツ要求情報が、必要なコンテンツを取得するためのＩＰアドレス、ポート番号であるため、このコンテンツ要求情報に基づき、加入局２に対してＩＧＭＰ（Internet Group Management Protocol）による接続要求をルータ30、40を通して行なう。本実施の形態では、加入者認証サーバ28、38およびルータ30、40が共通コンテンツ要求手段を構成している。
【００６３】
また、動画サーバ26、36は端末からの任意の映像コンテンツのリクエストに対して即座に映像送出を開始するＶＯＤ（Video On Demand）出力を行い、ＲＦ21、23を介して無線送受信機３ａ、４ａからＣＡＴＶモバイル端末６に無線で配信する。
【００６４】
一方、加入局２はルータ41、認証サーバ42、マルチキャストサーバ43、コンテンツ管理部44およびエンコーダ45を備えている。
ルータ41は広域ＬＡＮ７に接続されており、広域ＬＡＮ７との間でプロトコルを実行してＣＡＴＶ局３、４との間で通信を行なうものである。
【００６５】
認証サーバ42はユーザの個人情報（ＩＤ、契約ＣＡＴＶ局、課金記録、銀行口座、住所等）のユーザ固有情報や共通コンテンツの配信履歴が記憶されたユーザ固有情報記憶部42ａを備えており（図１参照）、このユーザ固有情報記憶部42ａは固有情報記憶手段を構成している。
【００６６】
また、認証サーバ42にはルータ41を通してＣＡＴＶ局３、４からユーザ識別情報やＣＡＴＶ局３、４を特定するＩＰアドレスが入力されるようになっており、ＣＡＴＶ局３、４から入力されたユーザ識別情報とユーザ固有情報記憶部42ａに記憶されたユーザの個人情報とを比較し、ユーザ識別情報が有効な場合にＩＰアドレスに対応したＣＡＴＶ局３、４に認証情報を送信するようになっており、ルータ41と共に第１の受信手段および送信手段を構成している。
【００６７】
また、マルチキャストサーバ43はルータ41を通してＣＡＴＶ局３、４から共通コンテンツの配信要求を受信するようになっており、このコンテンツの配信要求を受信すると、コンテンツ管理部44によって管理される共通コンテンツ（音楽、映画、ニュース、天気予報、バラエティー番組等）をエンコーダ45によって再生した後、ＣＡＴＶ局３、４を介してＣＡＴＶモバイル端末６にマルチキャストで配信するようになっている。本実施の形態では、マルチキャストサーバ43およびルータ41が第２の受信手段および配信手段を構成している。
【００６８】
また、認証サーバ42はマルチキャストサーバ43によって配信された共通コンテンツの配信履歴をユーザのＩＤおよびＣＡＴＶ局３、４のＩＰアドレスに関連付けて記憶するようになっており、この配信履歴に対して課金処理を実施するようになっている。本実施の形態では、認証サーバ42が課金手段を構成している。
【００６９】
なお、本実施の形態では、図２において加入局２が認証サーバ42およびマルチキャストサーバ43を備えているが、これに限らず、認証サーバ42およびマルチキャストサーバ43の何れか一方をＣＡＴＶ局３またはＣＡＴＶ局４に設けても良く、また、独立して設けても良い。
【００７０】
次に、図４、図５に基づいてケーブルテレビジョンサービスの提供方法を説明する。なお、図４は共通コンテンツの配信フローを示す図であり、図５は共通コンテンツ配信時のユーザ認証および課金フローを示す図である。
【００７１】
図４、図５において、加入局２はマルチキャストサーバ43からＣＡＴＶ局３、４に配信可能なコンテンツの案内情報を送信する。なお、このときには加入局２とＣＡＴＶ局３、４はＩＧＭＰ接続がなされていないため、マルチキャストコンテンツはＣＡＴＶ局３、４には配信されない。
【００７２】
一方、ＣＡＴＶモバイル端末６を搭載したユーザＡの車両５がＣＡＴＶ局３（以下、ＣＡＴＶ−Ａという）に移動した場合には、ＣＡＴＶ−Ａに対してログイン要求を行なう。
【００７３】
ＣＡＴＶ−Ａは加入局２に対してログイン要求があったことを送信する。加入局２はユーザ識別情報（ユーザＩＤ）のリクエスト要求を行なうと、ＣＡＴＶ−ＡはＣＡＴＶモバイル端末６にユーザ識別情報を要求する。
【００７４】
ＣＡＴＶモバイル端末６はＩＣカードリーダ12で読み取ったＩＤをＣＡＴＶ−Ａに送信して認証要求を行なう。ＣＡＴＶ−Ａはこの認証要求を加入局に送信する。
【００７５】
加入局２では認証サーバ42がユーザ固有情報記憶部42ａに記憶されたユーザ固有情報とＣＡＴＶ−Ａから送信されたユーザ識別情報を比較し、ユーザ識別情報が有効であるか否かを認証し、有効である場合には、認証情報をＣＡＴＶ−Ａに送信する。
【００７６】
ここで、ユーザ識別情報が有効であるというのは、加入局２に接続されたＣＡＴＶ局とユーザが契約関係にあることや、料金を正常に払っていること等を認証し、その結果が正常である場合に有効としている。
【００７７】
ＣＡＴＶ−ＡはＣＡＴＶモバイル端末６にケーブルテレビジョンサービスの提供を開始し、ＣＡＴＶモバイル端末６が次回からＣＡＴＶ−Ａからケーブルテレビジョンサービスの提供を受けるときに、認証用の情報（ローカルＩＰ等）を送信した後、コンテンツリストをＣＡＴＶモバイル端末６に送信する。
【００７８】
ＣＡＴＶモバイル端末６は受け取ったコンテンツリストから視聴したいコンテンツを選択し、コンテンツ送信リクエストをＣＡＴＶ−Ａに送信する。
【００７９】
ＣＡＴＶ−Ａはこのコンテンツ送信リクエストに対応するＩＰアドレス、ポート番号を加入局２に送信し、加入局２にＩＧＭＰ接続要求を行なう。
【００８０】
このとき、加入局２はＣＡＴＶ−ＡとＩＧＭＰ接続を行ない、マルチキャストサーバ43からＣＡＴＶ−Ａを介してＣＡＴＶモバイル端末６にマルチキャストコンテンツを配信し、この配信履歴をユーザ固有情報記憶部42ａに記憶する。
【００８１】
そして、ＣＡＴＶモバイル端末６からＣＡＴＶ−Ａに課金サービス要求が行なわれると、ＣＡＴＶ−Ａは加入局２に課金サービス要求を行なう。加入局２は認証サーバ42でユーザ固有情報記憶部42ａに記憶された配信履歴に基づいて課金処理を実施し、ＣＡＴＶ−Ａに処理結果を送信し、ＣＡＴＶ−Ａはこの課金情報をＣＡＴＶモバイル端末６に送信する。
【００８２】
一方、ＣＡＴＶモバイル端末６を搭載したユーザＡの車両５がＣＡＴＶ局３（以下、ＣＡＴＶ−Ｂという）に移動した場合には、ＣＡＴＶ−Ｂに対してログイン要求を行なう。
【００８３】
ＣＡＴＶ−Ｂは加入局２に対してログイン要求があったことを送信する。加入局２はユーザ識別情報（ユーザＩＤ）のリクエスト要求を行なうと、ＣＡＴＶ−ＢはＣＡＴＶモバイル端末６にユーザ識別情報を要求する。
【００８４】
ＣＡＴＶモバイル端末６はＩＣカードリーダ12で読み取ったＩＤをＣＡＴＶ−Ｂに送信して認証要求を行なう。ＣＡＴＶ−Ｂはこの認証要求を加入局に送信する。
【００８５】
加入局２では認証サーバ42がユーザ固有情報記憶部42ａに記憶されたユーザ固有情報とＣＡＴＶ−Ｂから送信されたユーザ識別情報を比較し、ユーザ識別情報が有効であるか否かを認証し、有効である場合には、認証情報をＣＡＴＶ−Ｂに送信する。
【００８６】
ＣＡＴＶ−ＢはＣＡＴＶモバイル端末６にケーブルテレビジョンサービスの提供を開始し、ＣＡＴＶモバイル端末６が次回からＣＡＴＶ−Ｂからケーブルテレビジョンサービスの提供を受けるときに、認証用の情報（ローカルＩＰ等）を送信した後、コンテンツリストをＣＡＴＶモバイル端末６に送信する。
【００８７】
ＣＡＴＶモバイル端末６は受け取ったコンテンツリストから視聴したいコンテンツを選択し、コンテンツ送信リクエストをＣＡＴＶ−Ｂに送信する。
ＣＡＴＶ−Ｂはこのコンテンツ送信リクエストに対応するＩＰアドレス、ポート番号を加入局２に送信し、加入局２にＩＧＭＰ接続要求を行なう。
【００８８】
このとき、加入局２はＣＡＴＶ−ＢとＩＧＭＰ接続を行ない、マルチキャストサーバ43からＣＡＴＶ−Ｂを介してＣＡＴＶモバイル端末６にマルチキャストコンテンツを配信し、この配信履歴をユーザ固有情報記憶部42ａに記憶する。
【００８９】
そして、ＣＡＴＶモバイル端末６からＣＡＴＶ−Ｂに課金サービス要求が行なわれると、ＣＡＴＶ−Ｂは加入局２に課金サービス要求を行なう。加入局２は認証サーバ42でユーザ固有情報記憶部42ａに記憶された配信履歴に基づいて課金処理を実施し、ＣＡＴＶ−Ｂに処理結果を送信し、ＣＡＴＶ−Ｂはこの課金情報をＣＡＴＶモバイル端末６に送信する。
【００９０】
このようにして、ＣＡＴＶ−Ｃ、ＣＡＴＶ−Ｄ......ＣＡＴＶ−ｎにＣＡＴＶモバイル端末６を搭載した車両５が移動した場合でも、同様の処理を行なう。
【００９１】
このように本実施の形態では、ＣＡＴＶモバイル端末６を搭載した車両５がＣＡＴＶ局３、４のサービスエリア内に移動すると、ＣＡＴＶモバイル端末６からＣＡＴＶ局３、４にログイン要求を行ない、ＣＡＴＶ局３、４から加入局２に対してユーザ識別情報の認証を行なって認証が有効な場合に加入局２からＣＡＴＶ局３、４を通してＣＡＴＶモバイル端末６に共通コンテンツを配信するようにしたため、ＣＡＴＶモバイル端末６がどのＣＡＴＶ局３、４のサービスエリアに移動した場合でも、加入局２からの共通コンテンツを受信することができる。
【００９２】
特に、提携関係にあるＣＡＴＶ局に共通のコンテンツを配信して個々のＣＡＴＶ局で共通コンテンツの管理を行なう場合には、個々のＣＡＴＶ間で業務が重複してしまう。本実施の形態では、加入局２からＣＡＴＶ３、４に共通コンテンツを配信し、ＣＡＴＶ３、４が単なる中継局の機能した果さないため、加入局２によって共通コンテンツの管理を一括して行なうことができ、個々のＣＡＴＶ３、４間で業務が重複してしまうことがない。
【００９３】
また、複数のＣＡＴＶ３、４を広域ＬＡＮ７を介して加入局２に接続しているため、どのＣＡＴＶ３、４からでも共通コンテンツをＣＡＴＶモバイル端末６に配信することができ、ＣＡＴＶ局３、４間を専用回線等で接続するのを不要にして加入局２を介して簡単に連携することができる。
【００９４】
また、加入局２がユーザ識別情報（ＩＤ）を認証して自己が保持する共通コンテンツをＣＡＴＶ局３、４を介してＣＡＴＶモバイル端末６に配信することができるため、加入局２によってユーザおよびコンテンツの一括管理を行なうことができる。
【００９５】
また、広域ＬＡＮ７はマルチキャスト通信を利用することができるため、広域ＬＡＮ７のネットワーク資源を有効活用を図ることができ、広域ＬＡＮ７の空き時間はインターネット等のＩＰサービスを利用することもできる。
【００９６】
また、本実施の形態では、ユーザ識別情報としてＩＣカードに書き込まれた個人情報を用いているため、センター装置が個人情報（ＩＤ等）によって契約されているユーザを認証することができるため、共通コンテンツの提供に際しての不正使用を防止することができるとともに、ユーザが機種等の異なるＣＡＴＶモバイル端末６を使用した場合にもユーザを簡単に特定することができる。
【００９７】
特に、ＣＡＴＶ局３、４毎でユーザの認証を行なってユーザ管理を行なう場合には、移動するＣＡＴＶ局毎でＣＡＴＶモバイル端末６に新しいローカルＩＰを付与する必要があるため、ユーザ管理が面倒になってしまうのに加えて、ＣＡＴＶモバイル端末６のＩＤを利用した場合には、ＣＡＴＶモバイル端末６が盗難された場合等に不正利用されてしまい、好ましくない。
【００９８】
本実施の形態では、ユーザ識別情報としてＩＣカードに書き込まれた個人情報を用い、加入局２でユーザ識別情報をユーザを一括管理しているため、このような不具合が発生することがない。なお、個人情報はＩＣカードではなく、磁気カードに書き込んでも良い。
【００９９】
また、本実施の形態では、加入局２が共通コンテンツの配信履歴に基づいて課金処理を行なうので、加入局２で集中して課金処理を行なうことができ、ＣＡＴＶ３、４毎で課金を行なう必要がなく、課金処理の効率化を図ることができる。
【０１００】
さらに、図６、図７に示す様に、それぞれの局がマルチキャストサーバを持つことで、移動先の局で自局コンテンツを見る運用も可能である。
【０１０１】
また、センター装置または加入局は、コンテンツ配信・認証課金業務を一括請負する認証局・コンテンツ配布局に置き換えてもいい。
【０１０２】
また、センター装置または加入局のコンテンツを移動先で見れることを前提とするが、他のＣＡＴＶ局のコンテンツを見ることも可能とする。
【０１０３】
局間のネットワークは広域LANが好ましいが、専用線など他のインフラでも可能とする。
【０１０４】
【発明の効果】
本発明によれば、移動端末装置がどの中継装置のサービスエリアに位置していてもケーブルテレビジョンサービスの提供を受けることができるケーブルテレビジョンシステム、中継装置、センター装置およびケーブルテレビジョンサービスの提供方法を提供することができる。
【図面の簡単な説明】
【図１】本発明に係るケーブルテレビジョンシステム、中継装置、センター装置およびケーブルテレビジョンサービスの提供方法の一実施の形態のシステム構成図
【図２】本発明に係るケーブルテレビジョンシステム、中継装置、センター装置およびケーブルテレビジョンサービスの提供方法の一実施の形態の共通コンテンツの配信経路を示す図
【図３】本発明に係るケーブルテレビジョンシステム、中継装置、センター装置およびケーブルテレビジョンサービスの提供方法の一実施の形態の中継装置、センター装置および移動通信端末の構成図
【図４】本発明に係るケーブルテレビジョンシステム、中継装置、センター装置およびケーブルテレビジョンサービスの提供方法の一実施の形態の共通コンテンツの配信フローを示す図
【図５】本発明に係るケーブルテレビジョンシステム、中継装置、センター装置およびケーブルテレビジョンサービスの提供方法の一実施の形態の共通コンテンツ配信時のユーザ認証および課金フローを示す図
【図６】本発明に係るケーブルテレビジョンシステム、中継装置、センター装置およびケーブルテレビジョンサービスの提供方法の一実施の形態の他のシステム構成図
【図７】   本発明に係るケーブルテレビジョンシステム、中継装置、センター装置およびケーブルテレビジョンサービスの提供方法の一実施の形態の共通コンテンツの他の配信フローを示す図
【符号の説明】
２    加入局（センター装置）
３、４    ＣＡＴＶ局（中継装置）
３ａ、４ａ    無線送受信機（第１の受信手段、第１の送信手段、第２の受信手段、配信手段、
５    車両（移動体）
６    ＣＡＴＶモバイル端末（移動通信端末）
26、36    動画サーバ（サービス提供手段、
28、38    加入者認証サーバ（送信手段、第１の受信手段、第２の受信手段、共通コンテンツ要求手段）
30、40    ルータ（送信手段、第１の受信手段、第２の受信手段、共通コンテンツ要求手段）
41    ルータ（第１の受信手段、送信手段、第２の受信手段、配信手段
42    認証サーバ（第１の受信手段、送信手段、課金手段）
42ａ    ユーザ固有情報記憶部（固有情報記憶手段）
43    マルチキャストサーバ（第２の受信手段、配信手段）
45、46    ＣＡＴＶ映像送出装置
【図１】
0003847636.tif 000002
【図２】
0003847636.tif 000003
【図３】
0003847636.tif 000004
【図４】
0003847636.tif 000005
【図５】
0003847636.tif 000006
【図６】
0003847636.tif 000007
【図７】
0003847636.tif 000008